(57)【要約】【課題】ＣＭ放映中でもＣＭコンテンツとの連動でユーザ参加型の情報提供を実現して、広告効果を向上できるようにすることを課題とする。【解決手段】携帯電話１は、ＣＭ放映中にテレビ画面に表示された２つの２次元コードからいずれか一方を読み取り、当該コードに含まれるＵＲＬにアクセスする。このとき、ユーザはＣＭで流れている楽曲から２次元コードに対応付けて表示されるアーティスト名がどちらかを判断する状況になる。ＵＲＬによって指定されているサーバ２のアクセス先は、携帯電話１からのアクセスを受け付け、正解のアクセス先であれば着信メロディのプレゼント処理に移行してダウンロード提供する。【選択図】図１
2005333271.tif 000002
【特許請求の範囲】
【請求項１】
インターネットに接続可能な携帯端末を用いてＣＭコンテンツとの連動サービスを実現するＣＭ連動システムであって、
ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理する放送処理手段と、
携帯端末において、テレビ装置に表示された前記ＣＭコンテンツからひとつの２次元コードを読み取り、当該コードに含まれるＵＲＬにしたがってサーバ装置にアクセスするアクセス手段と、
前記サーバ装置において、前記アクセス手段が前記ＣＭコンテンツのメロディに対応するＵＲＬへのアクセスであった場合には、前記アクセス元の携帯端末に対してあらかじめ用意されたプレゼント用のコンテンツを配信する配信手段と、
を備えたことを特徴とするＣＭ連動システム。
【請求項２】
インターネットに接続可能な携帯端末を用いてＣＭコンテンツとの連動サービスを実現するサーバ装置によるＣＭ連動システムであって、
ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理され、携帯端末において、テレビ装置に表示された前記ＣＭコンテンツからひとつの２次元コードを読み取り、当該コードに含まれるＵＲＬにしたがってアクセスしてきた際に、前記ＣＭコンテンツのメロディに対応するＵＲＬへのアクセスかどうかを判断する判断手段と、
前記判断手段により前記ＣＭコンテンツのメロディに対応するＵＲＬへのアクセスであったことが確認された場合には、前記アクセス元の携帯端末に対してあらかじめ用意されたプレゼント用のコンテンツを配信する配信手段と、
を備えたことを特徴とするＣＭ連動システム。
【請求項３】
前記サーバ装置は、前記アクセスをＣＭコンテンツの放映後、一定期間まで受け付けることを特徴とする請求項１または２に記載のＣＭ連動システム。
【請求項４】
インターネットに接続可能な携帯端末を用いてＣＭコンテンツとの連動サービスを実現するＣＭ連動方法であって、
ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理し、携帯端末において、前記第１ステップＳによりテレビ装置に表示された前記ＣＭコンテンツからひとつの２次元コードを読み取り、当該コードに含まれるＵＲＬにしたがってサーバ装置にアクセスし、前記サーバ装置において、前記アクセス手段が前記ＣＭコンテンツのメロディに対応するＵＲＬへのアクセスであった場合には、前記アクセス元の携帯端末に対してあらかじめ用意されたプレゼント用のコンテンツを配信することを特徴とするＣＭ連動システム。
【請求項５】
インターネットに接続可能な携帯端末を用いてＣＭコンテンツとの連動サービスを実現するサーバ装置によるＣＭ連動方法であって、
ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理され、携帯端末において、テレビ装置に表示された前記ＣＭコンテンツからひとつの２次元コードを読み取り、当該コードに含まれるＵＲＬにしたがってアクセスしてきた際に、前記ＣＭコンテンツのメロディに対応するＵＲＬへのアクセスかどうかを判断する第１ステップと、
前記第１ステップにより前記ＣＭコンテンツのメロディに対応するＵＲＬへのアクセスであったことが確認された場合には、前記アクセス元の携帯端末に対してあらかじめ用意されたプレゼント用のコンテンツを配信する第２ステップと、
を含んだことを特徴とするＣＭ連動方法。
【請求項６】
前記アクセスをＣＭコンテンツの放映後、一定期間まで受け付けることを特徴とする請求項４または５に記載のＣＭ連動方法。
【請求項７】
インターネットに接続可能な携帯端末を用いてＣＭコンテンツとの連動サービスを実現するサーバ装置のコンピュータによるＣＭ連動プログラムであって、
前記コンピュータに、
ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理され、携帯端末において、テレビ装置に表示された前記ＣＭコンテンツからひとつの２次元コードを読み取り、当該コードに含まれるＵＲＬにしたがってアクセスしてきた際に、前記ＣＭコンテンツのメロディに対応するＵＲＬへのアクセスかどうかを判断する第１ステップと、
前記第１ステップにより前記ＣＭコンテンツのメロディに対応するＵＲＬへのアクセスであったことが確認された場合には、前記アクセス元の携帯端末に対してあらかじめ用意されたプレゼント用のコンテンツを配信する第２ステップと、
を実行させることを特徴とするＣＭ連動プログラム。
【請求項８】
前記第１ステップは、前記アクセスをＣＭコンテンツの放映後、一定期間まで受け付けることを特徴とする請求項７に記載のＣＭ連動プログラム。
【発明の詳細な説明】
【技術分野】
【０００１】
本発明は、ＣＭ連動システム、ＣＭ連動方法およびＣＭ連動プログラムに関するものであり、たとえば、テレビ放送等の番組と連動して簡単にクイズ等の処理を行うことが可能なＣＭ連動システム、ＣＭ連動方法およびＣＭ連動プログラムに関するものである。
【背景技術】
【０００２】
従来、商品などの情報提供として、テレビ等の放送番組とネットワークに接続された端末との連動システムが各種提案されている。たとえば、メディア連動インターネットコンテンツ表示システムがある（特許文献１）。このシステムは、たとえばテレビで広告を視聴しているユーザが端末を操作することにより、該当する商品のホームページを表示させるようにしたものである。
【０００３】
また、今日、顧客などの利用者が携帯電話から簡単に接続できるように、携帯電話にＱＲコードを読み取らせ、ＱＲコードから情報センタにアクセスさせて広告あるいはサービスに関する詳細情報を提供するシステムが提案されている（特許文献２）。
【特許文献１】特開２００２−３１２６７９号公報
【特許文献２】特開２００２−１１８６８０号公報
【発明の開示】
【発明が解決しようとする課題】
【０００４】
上記した従来の放送連動システムは、単に広告と関連するホームページを表示するという機能であり、ユーザが様々な形式で提供元に参加することはできないという問題点があった。また、情報を取得するためには専用の装置の使用、事前の登録や設定が必須であり、情報を得るための手続きが煩雑であるという問題点もあった。特に、コマーシャル（ＣＭ）放映中に他のチャンネルに切り替えるなどの操作が入ると、ＣＭ終了後に継続して同番組を視聴してくれるかどうか、ＣＭ中の仕込みが課題となっていた。
【０００５】
本発明の目的は、ＣＭ放映中でもＣＭコンテンツとの連動でユーザ参加型の情報提供を実現して、広告効果を向上させることが可能なCＭ連動システム、ＣＭ連動方法およびＣＭ連動プログラムを提供することにある。
【課題を解決するための手段】
【０００６】
上述した課題を解決し、上記目的を達成するため、本発明に係るＣＭ連動システムは、  インターネットに接続可能な携帯端末を用いてＣＭコンテンツとの連動サービスを実現するＣＭ連動システムであって、ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理する放送処理手段と、携帯端末において、テレビ装置に表示された前記ＣＭコンテンツからひとつの２次元コードを読み取り、当該コードに含まれるＵＲＬにしたがってサーバ装置にアクセスするアクセス手段と、前記サーバ装置において、前記アクセス手段が前記ＣＭコンテンツのメロディに対応するＵＲＬへのアクセスであった場合には、前記アクセス元の携帯端末に対してあらかじめ用意されたプレゼント用のコンテンツを配信する配信手段と、を備えたことを特徴とするものである。
【０００７】
また、請求項２の発明に係るＣＭ連動システムは、インターネットに接続可能な携帯端末を用いてＣＭコンテンツとの連動サービスを実現するサーバ装置によるＣＭ連動システムであって、ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理され、携帯端末において、テレビ装置に表示された前記ＣＭコンテンツからひとつの２次元コードを読み取り、当該コードに含まれるＵＲＬにしたがってアクセスしてきた際に、前記ＣＭコンテンツのメロディに対応するＵＲＬへのアクセスかどうかを判断する判断手段と、前記判断手段により前記ＣＭコンテンツのメロディに対応するＵＲＬへのアクセスであったことが確認された場合には、前記アクセス元の携帯端末に対してあらかじめ用意されたプレゼント用のコンテンツを配信する配信手段と、を備えたことを特徴とするものである。
【０００８】
請求項１または２の発明は、請求項３の発明において、前記サーバ装置は、前記アクセスをＣＭコンテンツの放映後、一定期間まで受け付けるようにしてもよい。
【０００９】
また、請求項４の発明に係るＣＭ連動方法は、インターネットに接続可能な携帯端末を用いてＣＭコンテンツとの連動サービスを実現するＣＭ連動方法であって、ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理し、携帯端末において、前記第１ステップＳによりテレビ装置に表示された前記ＣＭコンテンツからひとつの２次元コードを読み取り、当該コードに含まれるＵＲＬにしたがってサーバ装置にアクセスし、前記サーバ装置において、前記アクセス手段が前記ＣＭコンテンツのメロディに対応するＵＲＬへのアクセスであった場合には、前記アクセス元の携帯端末に対してあらかじめ用意されたプレゼント用のコンテンツを配信することを特徴とするものである。
【００１０】
また、請求項５の発明に係るＣＭ連動方法は、インターネットに接続可能な携帯端末を用いてＣＭコンテンツとの連動サービスを実現するサーバ装置によるＣＭ連動方法であって、ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理され、携帯端末において、テレビ装置に表示された前記ＣＭコンテンツからひとつの２次元コードを読み取り、当該コードに含まれるＵＲＬにしたがってアクセスしてきた際に、前記ＣＭコンテンツのメロディに対応するＵＲＬへのアクセスかどうかを判断する第１ステップと、前記第１ステップにより前記ＣＭコンテンツのメロディに対応するＵＲＬへのアクセスであったことが確認された場合には、前記アクセス元の携帯端末に対してあらかじめ用意されたプレゼント用のコンテンツを配信する第２ステップと、を含んだことを特徴とするものである。
【００１１】
請求項４または５の発明は、請求項６において、前記アクセスをＣＭコンテンツの放映後、一定期間まで受け付けるようにしてもよい。
【００１２】
また、請求項７の発明に係るＣＭ連動プログラムは、インターネットに接続可能な携帯端末を用いてＣＭコンテンツとの連動サービスを実現するサーバ装置のコンピュータによるＣＭ連動プログラムであって、前記コンピュータに、ＣＭコンテンツには、ＵＲＬ情報を含む２次元コードが少なくとも２つ組み込まれるとともに、前記少なくとも２つの２次元コードのうちいずれか一方に対応付けられ、ＣＭ放映中にサウンド出力されるメロディが付加されており、放送局において、前記ＣＭコンテンツをテレビ装置に放映可能に放送処理され、携帯端末において、テレビ装置に表示された前記ＣＭコンテンツからひとつの２次元コードを読み取り、当該コードに含まれるＵＲＬにしたがってアクセスしてきた際に、前記ＣＭコンテンツのメロディに対応するＵＲＬへのアクセスかどうかを判断する第１ステップと、前記第１ステップにより前記ＣＭコンテンツのメロディに対応するＵＲＬへのアクセスであったことが確認された場合には、前記アクセス元の携帯端末に対してあらかじめ用意されたプレゼント用のコンテンツを配信する第２ステップと、を実行させることを特徴とするものである。
【００１３】
請求項７の発明は、請求項８において、前記第１ステップは、前記アクセスをＣＭコンテンツの放映後、一定期間まで受け付けるようにしてもよい。
【発明の効果】
【００１４】
本発明は、ＣＭ放映中でもＣＭコンテンツとの連動でユーザ参加型の情報提供を実現して、広告効果を向上させることが可能なCＭ連動システム、ＣＭ連動方法およびＣＭ連動プログラムを提供できるという効果もある。
【発明を実施するための最良の形態】
【００１５】
以下、本発明を実施するための最良の形態について、図面を参照して詳細に説明する。本実施の形態では、携帯端末として携帯電話機を使用する例を開示する。但し、本発明はインターネットに接続してＷｅｂ閲覧が可能な任意の携帯端末について適用可能である。
【００１６】
まずシステム全体の構成について説明する。図１は、本発明の実施例のシステム全体を示す概略構成図である。このシステムは、携帯端末の一種である携帯電話１とサーバ２が携帯電話網５およびインターネット４を介して接続可能に構成されている。携帯電話網５は、基地局９、パケット交換処理を司るパケット網６、インターネット４に接続されたゲートウェイサーバ７とを備え、携帯電話１とインターネット４との接続を可能にする。携帯電話１は、たとえば、HTTP（Hyper Text Transfer Protocol）によりＷｅｂ閲覧を可能にするＷｅｂブラウザやメールの送受信を行うメーラを標準装備しており、更にアプリケーションプログラムをダウンロードして記憶可能である。
【００１７】
サーバ２はデータベース３を備え、Ｗｅｂサーバ、メールサーバ、アプリケーションサーバ等の機能を有する。サーバ２はインターネット４、携帯電話網５を介して携帯電話１やパソコンなどのその他の端末と通信可能であり、携帯電話１からのアクセスに応じて後述するような処理を行う。データベース３は、サーバ２に接続されたデータベースシステムであり、ダウンロード用アプリ、ユーザ関連データ、コンテンツデータ等の各種データを記憶すると共にサーバ２からの要求に基づきサーバ２に必要なデータを提供する。
【００１８】
ＴＶ放送局１０は、テレビ番組の放送機能を有する。テレビ受信機１１は携帯電話１のユーザが所有するアナログ方式もしくはデジタル方式のテレビ受信機である。後述する本発明の方法によって、ユーザはテレビ受信機１１によってたとえばクイズ番組を見ながら、携帯電話１を使用してクイズに参加することができる。
【００１９】
図２は、本実施の形態による携帯電話１の内部構成例を示すブロック図である。携帯電話１は、制御部２０、通信制御部２１、表示部２３、入力部２４、音声／サウンド制御部、時計部２８、カメラ部２９、記憶部３０を備え、各回路はバス２９によって接続されている。
【００２０】
情報処理機能を実現する制御部２０は、CPU、ROM、RAMなどを備え、ROMや記憶部３０に記憶された各種プログラムに従って携帯電話１全体の制御を行う。アプリケーションプログラムとしては、たとえばＷｅｂ閲覧を制御するＷｅｂブラウザ、メールの送受信を制御するメーラープログラム、あるいはダウンロードされたアプリを実行可能である。記憶部３０は、たとえば不揮発性のメモリからなり、上記した各種アプリやアプリで使用するデータ、待ち受け画像等の画像データ、着メロデータ、電話帳データなどを記憶している。
【００２１】
アンテナ２２を備えた通信制御部２１は基地局との間のデータおよび音声通信機能を実行する。たとえば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００２２】
音声／サウンド制御部２５は、スピーカ２６およびマイク２７が接続されており、呼出音、着信メロディ等のサウンド出力や通話時の音声出力、およびマイク２７からの音声入力を実行する。時計部２８は制御部２０に現在時刻情報を提供する。カメラ部２９はたとえばＣＣＤ撮像素子を使用したデジタルカメラユニットを備え、本発明の実施例においては、テレビ受信機１１の画面に表示された２次元コードを読み取るために使用する。この他、赤外線通信機能、近距離無線通信機能、外部機器接続機能、（デジタル）テレビあるいは（デジタル）ラジオ受信機能、メモリカードスロット等を備えていてもよい。
【００２３】
図３は、本実施の形態によるサーバ２の内部構成例を示すブロック図である。サーバ２は、制御部４１、記憶部４２、通信制御部４３、データベースインタフェイス部４４、時計部４５等からなり、各回路はバス４６によって接続されている。制御部４１はCPU、ROM、RAMなどを備え、周知のＯＳ、サーバプログラムおよび本発明の機能を実現するプログラムを実行することにより、サーバ全体を制御する。
【００２４】
記憶部４２はたとえばハードディスク装置を備え、ＯＳ（Operating system）、公知あるいは本発明による各種プログラム、データ等を記憶している。通信制御部４３は、図示しないルータやファイヤウォールサーバを介してインターネット４に接続され、インターネット４を介して携帯電話１などとの双方向通信を実行する。時計部４５は現在時刻を計時し、制御部４１に提供する。データベースインタフェイス部４４はデ−タベース３に接続され、データベース２との間でデータ授受を行う。
【００２５】
以下に、本発明による番組連動処理の機能および動作を説明する。図５は、本発明の番組連動処理における携帯電話１、テレビ放送局１０およびサーバ２の処理内容を示すフローチャートである。縦線は時間の経過を示し、横点線は情報、データ、情報の移動を示している。なお、この実施例においては、携帯電話１には、２次元コードを読み取って、含まれているＵＲＬ（Uniform Resource Locator）にブラウザでアクセスする機能が標準で備わっているものとする。
【００２６】
また、デジタルカメラ付きの携帯電話機において、２次元コードを読み取って、含まれているＵＲＬにブラウザでアクセスする機能がない場合には、サーバ１あるいはその他のサーバから当該機能を有するアプリをダウンロードすることにより、本発明の携帯電話１として使用可能となる。また、２次元コードとは、たとえば公知のＱＲコード（登録商標）は大容量の文字データを表示／読み取り可能である。
【００２７】
本実施の形態において、ＣＭコンテンツは以下の構成となる。すなわち、ＣＭコンテンツには、映像上、ＵＲＬ情報を含む２次元コードが２つ表示され、それぞれ対応させて異なるアーティスト名が表示される。ＣＭ放映中は、いずれか一方のアーティストが歌ったり、演奏する楽曲がＢＧＭサウンドとして流れるように構成される。楽曲としては、着信メロディと同じサウンドである。よって、２つの２次元コード（アーティスト名）のうちいずれか一方がＢＧＭとして流れているアーティストに対応していることから、ユーザが一方の2次元コードを選んで携帯電話のカメラ部２９で撮像し、その２次元コードに含まれるＵＲＬにアクセスすることになる。このアクセスが正しい場合には、プレゼントとしてＣＭで流れた着信メロディをダウンロードすることが可能となる。
【００２８】
テレビ放送局１０においては、スケジュールにしたがってあらかじめ用意されたＣＭコンテンツの放映処理が実行される（ステップＳ２０）。この２次元コードにはサーバ２において出題クイズに応じて正解、不正解にそれぞれ対応した処理を実行すうためのＵＲＬが含まれている。なお、このＵＲＬに、ＣＭ識別コード、クイズ番号、放送局識別コード等が含まれていてもよい。そして、ＣＭにおいて、クイズに参加を希望するユーザはこの２次元コードを読み取ってサイトにアクセスするように勧誘される。図４は、２次元コードを表示した番組画面例を示す説明図である。テレビ画面５０には２次元コード５１が表示されている。
【００２９】
Ｓ２０においては、ユーザが携帯電話において標準装備されている２次元コード読み取りアプリを起動する。Ｓ２１においては、ＣＭコンテンツの放映中、テレビ画面から２次元コードを読み取り、ＵＲＬを抽出する。Ｓ２２においては、ブラウザが起動され、抽出されたＵＲＬによって指定されたサーバ２内のアドレスにアクセスする。
【００３０】
図６には、データベース３が記憶しているクイズ回答テーブルの内容例を示している。テーブルのレコード項目としては、たとえばアクセスしてきたユーザを識別するＵＩＤ、クイズ番号、ユーザがアクセスしてきたＵＲＬのうち正解の場合は１、不正解の場合は２とする回答、回答の結果の項目などが含まれている。ここでは、ユーザがアクセスした際に当該ユーザ情報のレコードが追加される。なお、クイズ回答テーブルにユーザが回答した（サーバが受信した）時刻情報も記録するようにしてもよい。
【００３１】
Ｓ３１においては、サーバ２がアクセスを受け付ける。このアクセスの時点でユーザの正解、不正解が判明する。すなわち、サーバ２においてユーザから正解、不正解にそれぞれ対応させて用意されたＵＲＬへのアクセスがあったかどうかを判断すればよい。たとえば、回答１（ＱＲコードについて左側を回答１、右側を回答２とする）が選択され、そのＵＲＬにアクセスしてきたユーザ（ＵＩＤ００１）の場合には、図６のように、正解として、クイズ番号１に対応させて、回答１、結果“正解”として記憶される。クイズ番号はＣＭコンテンツに対応させて採番してもよい。
【００３２】
また、回答２が選択され、そのＵＲＬにアクセスしてきたユーザ（ＵＩＤ００２）の場合には、図６のように、不正解として、クイズ番号１に対応させて、回答２、結果“不正解”として記憶される。または、回答が届いたにもかかわらず回答までの制限時間をオーバーしていた場合には、図６に示すユーザ（ＵＩＤ００３）のように回答１で正解であっても時間切れとしてプレゼントを受け取るチャンスを逃すものとする。
【００３３】
ここでは、アクセスしてきた携帯電話１のＵＩＤ（ユーザ固有の識別情報）を携帯電話網５から取得できるものとして、ユーザの特定（認証）を行うものとする。すなわち、ユーザが事前に会員登録されているような場合には、ユーザ毎に割り当てられた識別情報すなわちＵＩＤにしたがって各種の情報を紐付けて記憶することができる。この場合、データベース３に会員情報を登録しておけばよい。
【００３４】
さて、図５の処理に戻り、Ｓ３２においては、当該ユーザが当該クイズについて既に回答済みか否かが判定され、判定結果が肯定の場合には回答を無視して処理を終了させるが、否定の場合、即ち最初の回答の場合にはＳ３３に移行する。
【００３５】
回答期限はたとえば２次元コードを表示してから所定の時間（たとえば数分）以内あるいはＣＭ終了後の数分以内というように予め定めておく。時間内の回答であれば（ステップＳ３３のＹＥＳルート）、アクセスしてきたＵＲＬと制限時間とを考慮して最終的な回答の正否が判断される（ステップＳ３４）。このとき、サーバがクイズ回答テーブルに対してユーザおよびクイズ番号対応に回答および結果が書き込まれる。すなわち、ＵＩＤおよびクイズ番号が対応するレコードの回答欄にユーザの入力した回答情報を書き込み、結果欄には“正解”、“不正解”あるいは“時間切れ”を書き込む（ステップＳ３５）。
【００３６】
Ｓ３６においては、携帯電話に対して、回答の結果等が送信される。そして携帯電話においては、Ｓ２３において、受信された結果情報等が表示される。
【００３７】
ここで、図７（Ａ），（Ｂ），（Ｃ）には携帯電話における時間切れ、正解および不正解の場合の結果の表示例を示している。ユーザが携帯電話でＵＲＬにアクセスしたとき、制限時間をオーバーしていた場合には、たとえば図７（Ａ）のように、メッセージとして“残念でした！”と“制限時間を過ぎていいます。”が表示される。
【００３８】
また、正解のＵＲＬにアクセスした場合には、たとえば図７（Ｂ）のように、メッセージとして“正解です！”と“アーティストのＡＡＡさんが歌う「・・・」でした”が表示される。このとき、ダウンロードボタン１０１が用意されるので、ユーザはそのボタン操作でアーティストのＡＡＡさんが歌う「・・・」の着信メロディをダウンロードすることができる。もちろん、着信メロディに限らず、ＣＤ音源を利用したものやアーティストの声などであってもよい。
【００３９】
また、不正解のＵＲＬにアクセスした場合には、たとえば図７（Ｃ）のように、メッセージとして“不正解です！”と“アーティストのＡＡＡさんが歌う「・・・」でした（正解は左側です）”が表示される。
【００４０】
ここで、図８を用いてダウンロード動作について説明する。図７（Ｂ）のように携帯電話に通知が送られた際に、ダウンロード操作がなされると（ステップＳ１０１）、サーバ２に対してプレゼント（ダウンロードコンテンツ）の送信準備がなされる（ステップＳ２０１）。すなわち、データベース３より着信メロディのデータ（たとえばＭＩＤＩデータ）が読み出される。
【００４１】
そして、携帯電話１に対してプレゼントが送信され（ステップＳ２０２）、携帯電話ではダウンロード処理が実行される（ステップＳ１０２）。このようにしてダウンロードが完了すると、登録処理が実行され（ステップＳ１０３）、携帯電話から着信用音源として利用することができる。
【００４２】
以上のような構成および動作によって携帯電話のユーザが番組と連動するクイズ等の各種イベントに参加が可能となる。
【００４３】
以上説明したように、本実施の形態によれば、ＣＭ放映中でもＣＭコンテンツとの連動でユーザ参加型の情報提供を実現して、広告効果を向上させることが可能である。本実施の形態では、２つの2次元コードを例に挙げていたが、本発明はこれに限定されず、2つ以上の2次元コードと対応アーティスト名でクイズ形式で出題するようにしてもよいことはいうまでもない。
【産業上の利用可能性】
【００４４】
本発明は、携帯電話機等の携帯端末、サーバ装置、携帯電話網、インターネット等を含むデータ通信システム、情報処理システムの産業分野で利用可能である。
【図面の簡単な説明】
【００４５】
【図１】本発明の実施例のシステム全体を示す概略構成図である。
【図２】本実施の形態による携帯電話の内部構成例を示すブロック図である。
【図３】本実施の形態によるサーバの内部構成例を示すブロック図である。
【図４】２次元コードを表示した番組画面例を示す説明図である。
【図５】本発明の番組連動処理における処理内容を示すフローチャートである。
【図６】データベースが記憶しているクイズ回答テーブルの内容例を示す説明図である。
【図７】携帯電話におけるクイズおよび結果の表示例を示す説明図である。
【図８】ダウンロードの一例を説明するフローチャートである。
【符号の説明】
【００４６】
１…携帯電話（携帯端末）
２…サーバ
３…データベース
４…インターネット
５…携帯電話網
６…パケット網
７…ゲートウェイサーバ
９…基地局
１０…ＴＶ放送局
１１…テレビ受信機
【図１】
2005333271.tif 000003
【図２】
2005333271.tif 000004
【図３】
2005333271.tif 000005
【図４】
2005333271.tif 000006
【図５】
2005333271.tif 000007
【図６】
2005333271.tif 000008
【図７】
2005333271.tif 000009
【図８】
2005333271.tif 000010